(57)【特許請求の範囲】
【請求項１】
物体側から順に、正の屈折力を有する対物レンズ系と、該対物レンズ系による中間像を正立正像にするための正立正像系と、正の屈折力を有する接眼レンズ系とを備えたケプラー式変倍ファインダーにおいて、
前記対物レンズ系は、負の屈折力を有する第１レンズ群と、両凸レンズにより構成された正の屈折力を有する第２レンズ群と、負の屈折力を有する第３レンズ群とにより構成され、更に、該第２レンズ群は、変倍時に光軸方向への移動が可能であり、少なくとも２面の非球面を有し、前記第２レンズ群に備えられた２面の非球面は、共に光軸から離れるに従って徐々に正の屈折力が弱まるように形成され、且つ、以下の条件式を満足し、瞳径が５．０ｍｍを有していることを特徴とするケプラー式変倍ファインダー。
−０．１＜Δ／ｒ≦−２．４５×１０-3
但し、Δはレンズの有効径における非球面量、ｒは非球面の近軸曲率半径である。
【請求項２】
ｆ3を前記第３レンズ群の焦点距離、ｆwを広角端における前記対物レンズ系の焦点距離としたとき、以下の条件式を満足すようにしたことを特徴とする請求項１に記載のケプラー式変倍ファインダー。
−１５＜ｆ3／ｆw＜−１
【請求項３】
β2Sを中間焦点距離における前記第２レンズ群の横倍率とし、変倍時に前記第１レンズ群を可動、前記第３レンズ群を固定としたとき、以下の条件式を満足するようにしたことを特徴とする請求項２に記載のケプラー式変倍ファインダー。
−１．３＜β2S＜−０．７
【請求項４】
前記正立正像系はダハ面を有していることを特徴とする請求項１に記載のケプラー式変倍ファインダー。
【発明の詳細な説明】
【０００１】
【産業上の利用分野】
本発明は、撮影レンズとファインダーレンズとが別体に構成されたレンズシャッターカメラ等に用いられるのに好適なファインダーに関する。
【０００２】
【従来の技術】
ケプラー式ファインダーでは、対物レンズ系の中間像面付近に視野枠や各種表示が配置され、これを接眼レンズ系において観察できるように構成されているので、枠の境界線が明確に見える。更に、視野自体もフレアの少ない状態で明瞭に確認することができるため、非常に視野の見えがよいファインダーである。又、入射瞳位置が近いことから入射窓のサイズを小さくすることができるし、正立正像系を構成するプリズム等の折り方を工夫することによって、より小型化の達成が可能になる。従って、特に高級なレンズシャッターカメラのファインダーとして多く採用されているが、一方で、中間結像面付近に付着したゴミ等が目立ち易いという欠点も有していることから、製造時には十分な注意が必要である。
【０００３】
ケプラー式ファインダーにおいて、対物レンズ系をズーム化した例が従来より多く発明されており、変倍のためのズームタイプも様々なものが示されている。とりわけ、負・正・負の３群により構成された対物レンズ系は、バックフォーカスを比較的長くとることが可能なため、正立正像系を構成する場合に、プリズムを用いて光路を曲げる際の自由度が高く光学系の設計上好ましいものである。
【０００４】
このような対物レンズ系を有するケプラー式変倍ファインダーとしては、特開平４−２３０７１９号，特開平５−５３０５４号，特開平５−３４６６１０号及び特開平６−２４２３７７号の各公報に開示されているものが知られている。何れのファインダーも、負・正・負の３群ズームにおいて、変倍に際し第３群を固定し第１群及び第２群を可動に構成して、変倍及び像面の補正を行っている。
又、特開平３−４２１７号及び特開平３−２３３４２０号の各公報において開示されているケプラー式変倍ファインダーも知られている。これらのファインダーは、負・正・負の３群ズームにおいて、変倍に際し第１群を固定し第２及び第３群を可動させることで、変倍及び像面の補正を行っている。
【０００５】
何れもファインダーも負・正・負のズーム系の後側に正の屈折力を有するフィールドレンズが配置されており、続いて配置されている正立正像系によって像の反転が行われた後、接眼レンズ系を介して観察されるようになっている。しかし、前記各公報に示された実施例の中には、ズーム系とフィールドレンズとの間に正立正像系を構成する部材の一部を配置したり、或いはフィールドレンズを正立正像系と一体化して構成したりしたものもある。又、正立正像系としては、ポロプリズムタイプやダハミラーとペンタプリズムとを組み合わせたタイプのもの等が示されている。
【０００６】
【発明が解決しようとする課題】
ケプラー式ファインダーの利点は良好な視野を得られる点にあるが、一方で、ファインダーの覗き易さを考えた場合、射出瞳の位置や大きさも重要な要素となる。特に、射出瞳の大きさ、所謂瞳径は観察者が目を左右・上下に振ったときの視野のけられ易さに関係する。従って、この瞳径が小さいと、観察者とカメラとの位置関係が限られてしまうため、観察者にとって非常に覗き難いファインダーとなる。前述した従来例のファインダーは、何れも瞳径がφ４程度であり、やや覗き難くなっている。
又、前記特開平３−４２１７号，特開平４−２３０７１９号及び特開平６−２４２３７７号の各公報に記載のファインダーでは、ファインダーを構成しているレンズの枚数が多く、前記特開平３−２３３４２０号，特開平４−２３０７１９号及び特開平５−３４６６１０号の各公報に記載のファインダーは、変倍比が２倍程度で小さいという問題を含んでいる。
【０００７】
そこで、上記従来技術の有する問題点に鑑み、本発明は２．５倍程度の変倍比を有し、且つ、レンズ構成枚数が少なく瞳径の大きい高性能なケプラー式変倍ファインダーを提供することを目的とする。
【０００８】
【課題を解決するための手段及び作用】
上記目的を達成するため、本発明によるケプラー式変倍ファインダーは、物体側から順に、正の屈折力を有する対物レンズ系と、この対物レンズ系による中間像を正立正像にするための正立正像系と、正の屈折力を有する接眼レンズ系とを備えたケプラー式変倍ファインダーにおいて、前記対物レンズ系は、負の屈折力を有する第１レンズ群と、両凸レンズにより構成された正の屈折力を有する第２レンズ群と、負の屈折力を有する第３レンズ群とにより構成され、更に、第２レンズ群は、変倍時に光軸方向への移動が可能であり、少なくとも２面の非球面を有し、第２レンズ群に備えられた２面の非球面は、共に光軸から離れるに従って徐々に正の屈折力が弱まるように形成され、且つ、以下の条件式を満足し、瞳径が５．０ｍｍを有していることを特徴とする。
−０．１＜Δ／ｒ≦−２．４５×１０-3
但し、Δはレンズの有効径における非球面量、ｒは非球面の近軸曲率半径である。
また、本発明のケプラー式変倍ファインダーにおいては、ｆ3を前記第３レンズ群の焦点距離、ｆwを広角端における前記対物レンズ系の焦点距離としたとき、以下の条件式を満足すようにするのが好ましい。
−１５＜ｆ3／ｆw＜−１
また、本発明のケプラー式変倍ファインダーにおいては、β2Sを中間焦点距離における前記第２レンズ群の横倍率とし、変倍時に前記第１レンズ群を可動、前記第３レンズ群を固定としたとき、以下の条件式を満足するようにするのが好ましい。
−１．３＜β2S＜−０．７
また、本発明のケプラー式変倍ファインダーにおいては、前記正立正像系はダハ面を有しているのが好ましい。
【０００９】
負・正・負の３群ズームタイプでは、第２レンズ群の移動によって変倍が可能であり、このとき発生する像面のズレを補正するためには、第１レンズ群若しくは第３レンズ群を動き得るようにさせる必要が生じる。このとき、軸上光線は第１レンズ群の強い負のパワーによって発散された後第２レンズ群へ入射する。そして、第２レンズ群の強い正のパワーによって収斂された後に、第３レンズ群へ入射する。更に、この入射光は、第３レンズ群が有する負のパワーによって発散された後、瞳へ導かれることになる。従って、軸上光線は、第２レンズ群において最も高い位置を通り、ここで発生する補正アンダーな球面収差を第１レンズ群若しくは第３レンズ群で補正することになる。
【００１０】
従来のファインダーでは、各レンズ群に１面程度の非球面を用いて収差の補正を行い、レンズ枚数を増加させないようにしていた。しかし、瞳径を従来例のφ４程度から本発明のファインダーのようにφ５まで大きく改良しようとすると、従来の方法ではもはや球面収差の十分な補正を行うことはできない。特に、広角端では補正アンダーな球面収差が大きく発生し、望遠端では補正オーバーな球面収差が発生してしまい、全変倍域に亘って良好な性能を維持することが困難となる。
【００１１】
そこで、本発明では、軸上光線の最も高い第２レンズ群に２面以上の非球面を用いている。更に、このときの２面の非球面は共に、正のパワーが弱まるように形成されている。このように構成することにより、全変倍域に亘って球面収差の補正が可能になる。更に、このような非球面形状は次の条件式により決定される。
−０．１＜Δ／ｒ≦−２．４５×１０-3                ・・・・（１）
但し、Δはレンズの有効径における非球面量を、ｒは非球面の近軸曲率半径を夫々示している。又、かかる非球面の形状は、光軸上の光の進行方向をＺ軸、光軸と直交する方向をＹ軸にとり、円錐係数をｋ、非球面係数をＡ4，Ａ6，Ａ8，Ａ10としたとき、以下の式により与えられる。
【００１２】
ここで、Δ／ｒの値が条件式（１）の取り得る値の範囲の上限を越えると、非球面形状は正のパワーが強くなる形状になってしまうため、ファインダーの変倍に伴う球面収差の変動が大きくなり、好ましくない。又、Δ／ｒの値が条件式（１）の取り得る値の範囲の上限を下回ると、非球面量が非常に大きくなりすぎて球面収差の高次の曲がりが発生し易くなり、好ましくない。
【００１３】
本発明のファインダーでは、球面収差の補正のために少なくとも２面の非球面を用いたが、単に球面収差を補正するだけなら第２レンズ群のレンズ構成枚数を増やすことで対処可能である。しかし、レンズの構成枚数を増やすことはコストアップにもつながり、又、レンズの厚みによって全長も長くなり小型化を図る面でも好ましくない。従って、第２レンズ群は１枚の正レンズにより構成され、このときの正レンズは両面が非球面であると共に両凸形状を有している。
【００１４】
次に、ファインダーの小型化を達成するためには、以下に示す条件式を満足することが好ましい。
−１５＜ｆ３  ／ｆＷ  ＜−１                          ・・・・（２）
但し、ｆ３  はファインダーの第３レンズ群の焦点距離を、ｆＷ  は広角端におけるファインダーの対物レンズ系の焦点距離を示している。
【００１５】
この条件式（２）は、対物レンズ系の可動部に要するスペースを削減するための条件を示しており、この条件はファインダーの小型化を達成するために不可欠なものである。条件式（２）で示されるように、第３レンズ群のパワーを強くすると第３レンズ群の結像倍率が大きくなり、変倍部である第１レンズ群と第２レンズ群との合成パワーは強くなる。この結果、各レンズ群のパワーも強くなるため、変倍時の各レンズ群の移動量を減少させ、対物レンズ系の全長を短くすることが可能になる。
しかし、ｆ３  ／ｆＷ  の値が条件式（２）の取り得る値の範囲の上限を越えると、各レンズ群のパワーが強くなりすぎて、少ないレンズ枚数の構成では良好な収差の補正が困難になる。一方、ｆ３  ／ｆＷ  の値が条件式（２）の取り得る値の範囲の下限を下回ると、対物レンズ系の全長が大きくなりすぎて好ましくない。
【００１６】
又、本発明によるファインダーにおいて、対物レンズ系として負・正・負の３群ズームを採用し、第３レンズ群を固定して構成する場合には、かかる対物レンズ系の小型化を図るために以下に示す条件式が満たされることが好ましい。
−１．３＜β２Ｓ＜−０．７                          ・・・・（３）
但し、β２Ｓは中間焦点距離におけるファインダーの第２レンズ群の横倍率を示している。中間焦点距離ｆＳ  は、望遠端における対物レンズ系の焦点距離をｆＴ  としたとき、ｆｓ  ＝（ｆＷ  ・ｆＴ  ）１／２  で表される。
【００１７】
ここで、条件式（３）は、ファインダーの第１レンズ群の移動量を減少させて対物レンズ系の全長を短くするための条件を示している。可動部が負・正のレンズ群から構成されている場合には、負の第１レンズ群は像側に凸な移動軌跡を描く。そして、この軌跡は中間焦点距離において正の第２レンズ群が等倍結像をなす場合において最も小型化され、第１レンズ群の広角端と望遠端との位置が一致することになる。従って、β２Ｓの値が条件式（３）の取り得る値の範囲の上限を越えると、第２レンズ群の結像倍率が全体に小さくなるため収差の補正の面では有利となるが、広角端での全長が大きくなり好ましくない。一方、β２Ｓの値が条件式（３）の取り得る値の範囲の下限を下回ると、逆に望遠端での全長が大きくなると共に収差補正が困難となるため、好ましくない。
【００１８】
更に、対物レンズ系の小型化を図りファインダー全体の十分な小型化を達成するためには、上記条件式（２）は以下に示すような厳格な条件を満足することが好ましい。
−７＜ｆ３  ／ｆＷ  ＜−１                            ・・・・（２）’
【００１９】
【実施例】
以下、図示した実施例に基づき本発明を詳細に説明する。
第１実施例
図１は本実施例にかかるケプラー式変倍ファインダーの光軸に沿う断面図であり、（ａ）は広角端，（ｂ）は中間倍率，（ｃ）は望遠端での状態を夫々示している。本実施例のファインダーは、図示しない物体側から順に、負の屈折力を有する第１レンズ群１ａ，正の屈折力を有する第２レンズ群１ｂ及び負の屈折力を有する第３レンズ群１ｃからなる対物レンズ系１と、反射部材としてのプリズム２ａ及び接眼レンズ２ｂからなる接眼レンズ系２とにより構成されている。対物レンズ系１を構成する各レンズ群では、第３レンズ群１ｃが固定され、第１レンズ群１ａ及び第２レンズ群１ｂが夫々光軸ＬＣ  上を移動して変倍が行われる。又、対物レンズ系１により中間像面（図示せず）が形成されるが、この中間像面と第３レンズ群１ｃとの間には図示しない２つの反射面（ミラー）が備えられている。又、接眼レンズ系２中のプリズム２ａは２つの反射面を有している。そして、前記反射面とプリズム２ａとにより正立正像系が構成されている。更に、第１レンズ群１ａ，第２レンズ群１ｂ，第３レンズ群１ｃ及び接眼レンズ２ｂは、夫々１枚のレンズにより構成されている。
尚、本実施例では、対物レンズ系１中の反射面はダハミラーで、プリズム２ａはダハプリズムによって構成されているため、このファインダーをカメラ本体に組み込んだ場合に、カメラ本体の高さを低く抑えることができる。
【００２０】
以下、本実施例にかかるケプラー式変倍ファインダーを構成しているレンズ等光学部材の数値データを示す。
ファインダー倍率  ０．４０〜１．００
視野角（２ω）    ５０．３〜１８．７°
瞳径              φ５
【００２１】
0003628739.tif 000002
【００２２】
0003628739.tif 000003
【００２３】
0003628739.tif 000004
【００２４】
0003628739.tif 000005
【００２５】
又、本実施例のケプラー式変倍ファインダーにおける上記条件式（１）乃至（３）の値は次の通りである。
Δ３  ／ｒ３  ＝−１４．８１×１０−３  （有効半径Ｙ＝３．５８）
Δ４  ／ｒ４  ＝−２．４５  ×１０−３  （Ｙ＝３．４０）
ｆ３  ／ｆＷ  ＝−４．７６
β２Ｓ      ＝−０．８７
【００２６】
又、図２は本実施例のケプラー式変倍ファインダーの収差曲線図であり、（ａ）は広角端，（ｂ）は中間倍率，（ｃ）は望遠端での状態を夫々示している。
【００２７】
第２実施例
図３は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１実施例に示したものに加えて第２，第５及び第１０面に非球面を用いたこと以外は第１実施例のファインダーと同様である。
【００２８】
以下、本実施例にかかるケプラー式変倍ファインダーを構成しているレンズ等光学部材の数値データを示す。
ファインダー倍率  ０．４０〜１．００
視野角（２ω）    ５０．３〜１８．７°
瞳径              φ５
【００２９】
0003628739.tif 000006
【００３０】
0003628739.tif 000007
【００３１】
0003628739.tif 000008
【００３２】
0003628739.tif 000009
【００３３】
又、本実施例のケプラー式変倍ファインダーにおける上記条件式（１）乃至（３）の値は次の通りである。
Δ３  ／ｒ３  ＝−４０．００×１０−３  （有効半径Ｙ＝３．９２）
Δ４  ／ｒ４  ＝−２．３７  ×１０−３  （Ｙ＝４．３６）
ｆ３  ／ｆＷ  ＝−２．３８
β２Ｓ      ＝−０．９１
【００３４】
又、図４は本実施例のケプラー式変倍ファインダーの収差曲線図であり、（ａ）は広角端，（ｂ）は中間倍率，（ｃ）は望遠端での状態を夫々示している。
【００３５】
第３実施例
図５は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１及び第２面に非球面を用いていない点を除き、第２実施例に示したものと同様である。
【００３６】
以下、本実施例にかかるケプラー式変倍ファインダーを構成しているレンズ等光学部材の数値データを示す。
ファインダー倍率  ０．４０〜１．００
視野角（２ω）    ５０．３〜１８．５°
瞳径              φ５
【００３７】
0003628739.tif 000010
【００３８】
0003628739.tif 000011
【００３９】
0003628739.tif 000012
【００４０】
0003628739.tif 000013
【００４１】
又、本実施例のケプラー式変倍ファインダーにおける上記条件式（１）乃至（３）の値は次の通りである。
Δ３  ／ｒ３  ＝−１０．４１×１０−３  （有効半径Ｙ＝３．８２）
Δ４  ／ｒ４  ＝−２９．７４×１０−３  （Ｙ＝３．３８）
ｆ３  ／ｆＷ  ＝−２．７５
β２Ｓ      ＝−０．８５
【００４２】
又、図６は本実施例のケプラー式変倍ファインダーの収差曲線図であり、（ａ）は広角端，（ｂ）は中間倍率，（ｃ）は望遠端での状態を夫々示している。
【００４３】
第４実施例
図７は本実施例にかかるケプラー式変倍ファインダーの光軸に沿う断面図であり、（ａ）は広角端，（ｂ）は中間倍率，（ｃ）は望遠端での状態を夫々示している。本実施例のファインダーは、図示しない物体側から順に、負の屈折力を有する第１レンズ群１ａ，正の屈折力を有する第２レンズ群１ｂ，負の屈折力を有する第３レンズ群１ｃ及び反射部材としてのプリズム１ｄからなる対物レンズ系１と、反射部材としてのプリズム２ａと接眼レンズ２ｂとからなる接眼レンズ系２とにより構成されている。対物レンズ系１を構成する各レンズ群では、第３レンズ群１ｃが固定され、第１レンズ群１ａ及び第２レンズ群１ｂが夫々光軸ＬＣ  上を移動して変倍が行われる。又、プリズム１ｄ及びプリズム２ａは夫々２つの反射面を有しており、これらで正立正像系を構成している。更に、第１レンズ群１ａ，第２レンズ群１ｂ，第３レンズ群１ｃ及び接眼レンズ２ｂは夫々１枚のレンズにより構成されている。
尚、本実施例では、プリズム１ｄはダハプリズムで、プリズム２ａはペンタプリズムによって構成されているため、このファインダーをカメラ本体に組み込んだ場合に、カメラ本体の高さを低く抑えることができる。
【００４４】
以下、本実施例にかかるケプラー式変倍ファインダーを構成しているレンズ等光学部材の数値データを示す。
ファインダー倍率  ０．４０〜１．００
視野角（２ω）    ５０．４〜１８．７°
瞳径              φ５
【００４５】
0003628739.tif 000014
【００４６】
0003628739.tif 000015
【００４７】
0003628739.tif 000016
【００４８】
0003628739.tif 000017
【００４９】
0003628739.tif 000018
【００５０】
又、本実施例のケプラー式変倍ファインダーにおける上記条件式（１）乃至（３）の値は次の通りである。
Δ３  ／ｒ３  ＝−２５．０１×１０−３  （有効半径Ｙ＝３．６５）
Δ４  ／ｒ４  ＝−１４．５０×１０−３  （Ｙ＝３．４８）
ｆ３  ／ｆＷ  ＝−３．４２
β２Ｓ      ＝−０．９７
【００５１】
又、図８は本実施例のケプラー式変倍ファインダーの収差曲線図であり、（ａ）は広角端，（ｂ）は中間倍率，（ｃ）は望遠端での状態を夫々示している。
【００５２】
第５実施例
図９は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１乃至第３の各実施例において示したものと同様であり、第２乃至第５面及び第９面に非球面を用いている。
【００５３】
以下、本実施例にかかるケプラー式変倍ファインダーを構成しているレンズ等光学部材の数値データを示す。
ファインダー倍率  ０．４０〜１．００
視野角（２ω）    ５０．４〜１８．９°
瞳径              φ５
【００５４】
0003628739.tif 000019
【００５５】
0003628739.tif 000020
【００５６】
0003628739.tif 000021
【００５７】
0003628739.tif 000022
【００５８】
又、本実施例のケプラー式変倍ファインダーにおける上記条件式（１）乃至（３）の値は次の通りである。
Δ３  ／ｒ３  ＝−３６．１５×１０−３  （有効半径Ｙ＝４．６５）
Δ４  ／ｒ４  ＝−１１．０８×１０−３  （Ｙ＝４．８９）
ｆ３  ／ｆＷ  ＝−１０．７１
β２Ｓ      ＝−０．９７
である。
【００５９】
又、図１０は本実施例のケプラー式変倍ファインダーの収差曲線図であり、（ａ）は広角端，（ｂ）は中間倍率，（ｃ）は望遠端での状態を夫々示している。
【００６０】
第６実施例
図１１は本実施例にかかるケプラー式変倍ファインダーの光軸に沿う断面図であり、（ａ）は広角端，（ｂ）は中間倍率，（ｃ）は望遠端での状態を夫々示している。本実施例のファインダーは、図示しない物体側から順に、負の屈折力を有する第１レンズ群１ａ，正の屈折力を有する第２レンズ群１ｂ，負の屈折力を有する第３レンズ群１ｃ及び反射部材としてのプリズム１ｄからなる対物レンズ系１と、反射部材としてのプリズム２ａと接眼レンズ２ｂとからなる接眼レンズ系２とにより構成されている。又、図示しないが、プリズム１ｄとプリズム２ａとの間には、対物レンズ系１により中間像面が形成される。対物レンズ系１を構成する各レンズ群では、第１レンズ群１ａが固定され、第２レンズ群２ｂ及び第３レンズ群１ｃが夫々光軸ＬＣ  上を移動して変倍が行われる。又、プリズム１ｄ及びプリズム２ａは夫々２つの反射面を有しており、これらで正立正像系を構成している。更に、第１レンズ群１ａ，第２レンズ群１ｂ，第３レンズ群１ｃ及び接眼レンズ２ｂは夫々１枚のレンズにより構成されている。
尚、本実施例では、プリズム１ｄはダハプリズムで、プリズム２ａはペンタプリズムによって構成されているため、このファインダーをカメラ本体に組み込んだ場合に、カメラ本体の高さを低く抑えることができる。又、プリズム１ｄ，２ａは夫々ミラーにより構成されてもよいし、ポロプリズムによって構成されても差し支えない。
【００６１】
以下、本実施例にかかるケプラー式変倍ファインダーを構成しているレンズ等光学部材の数値データを示す。
ファインダー倍率  ０．４０〜０．６３〜１．００
視野角（２ω）    ５０．３〜３０．２〜１８．８°
瞳径              φ５
【００６２】
0003628739.tif 000023
【００６３】
0003628739.tif 000024
【００６４】
0003628739.tif 000025
【００６５】
0003628739.tif 000026
【００６６】
0003628739.tif 000027
【００６７】
又、本実施例のケプラー式変倍ファインダーにおける上記条件式（１），（２）の値は次の通りである。
Δ３  ／ｒ３  ＝−９．０６  ×１０−３  （有効半径Ｙ＝３．６４）
Δ４  ／ｒ４  ＝−６．６３  ×１０−３  （Ｙ＝３．４２）
ｆ３  ／ｆＷ  ＝−９．５７
【００６８】
又、図１２は本実施例のケプラー式変倍ファインダーの収差曲線図であり、（ａ）は広角端，（ｂ）は中間倍率，（ｃ）は望遠端での状態を夫々示している。
【００６９】
第７実施例
図１３は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第６面に非球面を用いていない点を除き、第６実施例に示したものと同様である。
【００７０】
以下、本実施例にかかるケプラー式変倍ファインダーを構成しているレンズ等光学部材の数値データを示す。
ファインダー倍率  ０．４０〜０．６３〜１．００
視野角（２ω）    ５０．４〜３０．１〜１８．７°
瞳径              φ５
【００７１】
0003628739.tif 000028
【００７２】
0003628739.tif 000029
【００７３】
0003628739.tif 000030
【００７４】
0003628739.tif 000031
【００７５】
0003628739.tif 000032
【００７６】
又、本実施例のケプラー式変倍ファインダーにおける上記条件式（１），（２）の値は次の通りである。
Δ３  ／ｒ３  ＝−７．７７  ×１０−３  （有効半径Ｙ＝３．７６）
Δ４  ／ｒ４  ＝−３０．１１×１０−３  （Ｙ＝３．５７）
ｆ３  ／ｆＷ  ＝−３．０５
【００７７】
又、図１４は本実施例のケプラー式変倍ファインダーの収差曲線図であり、（ａ）は広角端，（ｂ）は中間倍率，（ｃ）は望遠端での状態を夫々示している。
【００７８】
第８実施例
図１５は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１面に非球面を用いている点を除き、第６実施例に示したものと同様である。
【００７９】
以下、本実施例にかかるケプラー式変倍ファインダーを構成しているレンズ等光学部材の数値データを示す。
ファインダー倍率  ０．４０〜０．６３〜１．００
視野角（２ω）    ５０．３〜３０．３〜１８．７°
瞳径              φ５
【００８０】
0003628739.tif 000033
【００８１】
0003628739.tif 000034
【００８２】
0003628739.tif 000035
【００８３】
0003628739.tif 000036
【００８４】
0003628739.tif 000037
【００８５】
又、本実施例のケプラー式変倍ファインダーにおける上記条件式（１），（２）の値は次の通りである。
Δ３  ／ｒ３  ＝−６０．６１×１０−３  （有効半径Ｙ＝４．１５）
Δ４  ／ｒ４  ＝−７．８１  ×１０−３  （Ｙ＝４．４６）
ｆ３  ／ｆＷ  ＝−２．５５
【００８６】
又、図１６は本実施例のケプラー式変倍ファインダーの収差曲線図であり、（ａ）は広角端，（ｂ）は中間倍率，（ｃ）は望遠端での状態を夫々示している。
【００８７】
尚、上記各実施例の数値データにおいて、ｒ１  ，ｒ２  ，・・・・は各レンズ又はプリズム面の曲率半径を、ｄ１  ，ｄ２  ，・・・・は各レンズ又はプリズムの肉厚又はそれらの間隔を、ｎ１  ，ｎ２  ，・・・・は各レンズの屈折率を、ν１  ，ν２  ・・・・は各レンズのアッベ数を、夫々示している。又、上記非球面形状は、光軸上の光の進行方向をＺ軸、光軸と直交する方向をＹ軸にとり、円錐件数をκ、非球面係数をＡ４  ，Ａ６  ，Ａ８  ，Ａ１０としたとき、以下に示す式により与えられる。
0003628739.tif 000038
【００８８】
【発明の効果】
上述のように、本発明によれば、少ない枚数のレンズ構成で、高変倍比で瞳径の大きい高性能なケプラー式変倍ファインダーを提供することができる。
【図面の簡単な説明】
【図１】本発明の第１実施例にかかるケプラー式変倍ファインダーの構成を示す光軸に沿う断面図であり、（ａ）は広角端，（ｂ）は中間倍率，（ｃ）は望遠端での状態を示す図である。
【図２】第１実施例のケプラー式変倍ファインダーの収差曲線図であり、（ａ）は広角端，（ｂ）は中間倍率，（ｃ）は望遠端での状態を示す図である。
【図３】本発明の第２実施例にかかるケプラー式変倍ファインダーの構成を示す光軸に沿う断面図であり、（ａ）は広角端，（ｂ）は中間倍率，（ｃ）は望遠端での状態を示す図である。
【図４】第２実施例のケプラー式変倍ファインダーの収差曲線図であり、（ａ）は広角端，（ｂ）は中間倍率，（ｃ）は望遠端での状態を示す図である。
【図５】本発明の第３実施例にかかるケプラー式変倍ファインダーの構成を示す光軸に沿う断面図であり、（ａ）は広角端，（ｂ）は中間倍率，（ｃ）は望遠端での状態を示す図である。
【図６】第３実施例のケプラー式変倍ファインダーの収差曲線図であり、（ａ）は広角端，（ｂ）は中間倍率，（ｃ）は望遠端での状態を示す図である。
【図７】本発明の第４実施例にかかるケプラー式変倍ファインダーの構成を示す光軸に沿う断面図であり、（ａ）は広角端，（ｂ）は中間倍率，（ｃ）は望遠端での状態を示す図である。
【図８】第４実施例のケプラー式変倍ファインダーの収差曲線図であり、（ａ）は広角端，（ｂ）は中間倍率，（ｃ）は望遠端での状態を示す図である。
【図９】本発明の第５実施例にかかるケプラー式変倍ファインダーの構成を示す光軸に沿う断面図であり、（ａ）は広角端，（ｂ）は中間倍率，（ｃ）は望遠端での状態を示す図である。
【図１０】第５実施例のケプラー式変倍ファインダーの収差曲線図であり、（ａ）は広角端，（ｂ）は中間倍率，（ｃ）は望遠端での状態を示す図である。
【図１１】本発明の第６実施例にかかるケプラー式変倍ファインダーの構成を示す光軸に沿う断面図であり、（ａ）は広角端，（ｂ）は中間倍率，（ｃ）は望遠端での状態を示す図である。
【図１２】第６実施例のケプラー式変倍ファインダーの収差曲線図であり、（ａ）は広角端，（ｂ）は中間倍率，（ｃ）は望遠端での状態を示す図である。
【図１３】本発明の第７実施例にかかるケプラー式変倍ファインダーの構成を示す光軸に沿う断面図であり、（ａ）は広角端，（ｂ）は中間倍率，（ｃ）は望遠端での状態を示す図である。
【図１４】第７実施例のケプラー式変倍ファインダーの収差曲線図であり、（ａ）は広角端，（ｂ）は中間倍率，（ｃ）は望遠端での状態を示す図である。
【図１５】本発明の第８実施例にかかるケプラー式変倍ファインダーの構成を示す光軸に沿う断面図であり、（ａ）は広角端，（ｂ）は中間倍率，（ｃ）は望遠端での状態を示す図である。
【図１６】第８実施例のケプラー式変倍ファインダーの収差曲線図であり、（ａ）は広角端，（ｂ）は中間倍率，（ｃ）は望遠端での状態を示す図である。
【符号の説明】
１      対物レンズ系
１ａ    第１レンズ群
１ｂ    第２レンズ群
１ｃ    第３レンズ群
１ｄ    プリズム
２      接眼レンズ系
２ａ    プリズム
２ｂ    接眼レンズ
ＬＣ      光軸
【図１】
0003628739.tif 000039
【図２】
0003628739.tif 000040
【図３】
0003628739.tif 000041
【図４】
0003628739.tif 000042
【図５】
0003628739.tif 000043
【図６】
0003628739.tif 000044
【図７】
0003628739.tif 000045
【図８】
0003628739.tif 000046
【図９】
0003628739.tif 000047
【図１０】
0003628739.tif 000048
【図１１】
0003628739.tif 000049
【図１２】
0003628739.tif 000050
【図１３】
0003628739.tif 000051
【図１４】
0003628739.tif 000052
【図１５】
0003628739.tif 000053
【図１６】
0003628739.tif 000054